(57)【特許請求の範囲】
【請求項１】
複数の無線端末と無線通信を行い、ＬＡＮを介して他のアクセスポイントと接続されるアクセスポイントであって、
前記無線端末への無線信号の送信開始タイミングを前記他のアクセスポイントと揃え、
一周期における前記無線端末への全ての無線信号の送信を完了したことを通知する送信完了データを前記他のアクセスポイントとの間で相互に送受信し、前記ＬＡＮを介して接続された全てのアクセスポイントから前記送信完了データを受信した場合に、前記無線端末からの無線信号の受信を開始することで、前記無線端末からの無線信号の受信開始タイミングを前記他のアクセスポイントと揃える、
ことを特徴とするアクセスポイント。
【請求項２】
複数の無線端末と無線通信を行い、ＬＡＮを介して他のアクセスポイントと接続されるアクセスポイントであって、
前記無線端末への無線信号の送信開始タイミングを前記他のアクセスポイントと揃え、
一周期を、前記無線端末に無線信号を送信する送信期間と、前記無線端末から無線信号を受信する受信期間とに分割し、前記送信期間内に前記無線端末への全ての無線信号の送信が完了した場合、前記送信期間が終了するまで前記アクセスポイントが無線信号を送信中であることを知らせるダミー信号を前記無線端末に送信することで、前記無線端末からの無線信号の受信開始タイミングを前記他のアクセスポイントと揃える、
ことを特徴とするアクセスポイント。
【請求項３】
複数の無線端末と、前記無線端末と無線通信を行い、ＬＡＮを介して接続された複数のアクセスポイントと、を備える通信システムであって、
前記複数のアクセスポイントのそれぞれは、
前記無線端末への無線信号の送信開始タイミングを他のアクセスポイントと揃え、
一周期における前記無線端末への全ての無線信号の送信を完了したことを通知する送信完了データを前記他のアクセスポイントとの間で相互に送受信し、前記ＬＡＮを介して接続された全てのアクセスポイントから前記送信完了データを受信した場合に、前記無線端末からの無線信号の受信を開始することで、前記無線端末からの無線信号の受信開始タイミングを前記他のアクセスポイントと揃える、
ことを特徴とする通信システム。
【請求項４】
複数の無線端末と、前記無線端末と無線通信を行い、ＬＡＮを介して接続された複数のアクセスポイントと、を備える通信システムであって、
前記複数のアクセスポイントのそれぞれは、
前記無線端末への無線信号の送信開始タイミングを他のアクセスポイントと揃え、
一周期を、前記無線端末に無線信号を送信する送信期間と、前記無線端末から無線信号を受信する受信期間とに分割し、前記送信期間内に前記無線端末への全ての無線信号の送信が完了した場合、前記送信期間が終了するまで、前記アクセスポイントが無線信号を送信中であることを知らせるダミー信号を前記無線端末に送信することで、前記無線端末からの無線信号の受信開始タイミングを前記他のアクセスポイントと揃える、
ことを特徴とする通信システム。
【発明の詳細な説明】
【技術分野】
【０００１】
本発明は、無線ＬＡＮ（Local Area Network）におけるアクセスポイントと無線端末間の伝送技術に関する。
【背景技術】
【０００２】
コンピュータ通信ネットワークの一つとして、無線ＬＡＮが普及しており、このような無線ＬＡＮでは、無線端末との間で送受信する無線信号を有線ＬＡＮに接続するアクセスポイントを用いてデータの伝送が行われる。
【０００３】
そして、このアクセスポイントは、隣接するアクセスポイントとの混信を避けるため、隣接するアクセスポイントが使用する周波数帯と異なる周波数帯の無線チャンネルを用いて無線端末との通信を行っている。
【発明の開示】
【発明が解決しようとする課題】
【０００４】
しかしながら、特定のアクセスポイントに接続している無線端末と、この特定のアクセスポイントに隣接する他のアクセスポイントに接続している他の無線端末と、が距離的に近い位置にある場合や、特定のアクセスポイントに接続している無線端末と、この特定のアクセスポイントに隣接する他のアクセスポイントに隣接し特定のアクセスポイントと同じ周波数帯の無線チャンネルを使用している他のアクセスポイントに接続している他の無線端末と、が距離的に近い位置にある場合には、この特定のアクセスポイントから無線端末に無線信号を送信する際に、該他の無線端末から該他のアクセスポイントに送信する無線信号がノイズ成分となり、伝送品質を悪化させる場合がある。
【０００５】
そこで、本発明は、アクセスポイントから無線端末に送信する無線信号に、他の無線端末から他のアクセスポイントに送信する無線信号が干渉しないようにすることを目的とする。
【課題を解決するための手段】
【０００６】
以上の課題を解決するために、本発明は、アクセスポイントから無線端末に無線信号を送信するタイミングと他の無線端末から他のアクセスポイントに無線信号を送信するタイミングとを制御する技術を提供する。
【０００７】
具体的には、本発明では、複数の無線端末と無線通信を行い、ＬＡＮを介して他のアクセスポイントと接続されるアクセスポイントであって、前記無線端末への無線信号の送信開始タイミングを前記他のアクセスポイントと揃える技術を提供する。
【発明の効果】
【０００８】
以上のように、本発明によれば、アクセスポイントから無線端末に無線信号を送信するタイミングと他の無線端末から他のアクセスポイントに無線信号を送信するタイミングとが異なるようにすることができるので、アクセスポイントから無線端末に送信する無線信号に、他の無線端末から他のアクセスポイントに送信する無線信号が干渉することを防止することができる。
【発明を実施するための最良の形態】
【０００９】
以下、本発明の第一の実施形態について説明する。
【００１０】
図１は、本発明の第一の実施形態である通信システム１００の概略図である。
【００１１】
図１に示されているように、通信システム１００は、アクセスポイント１１０ａ〜１１０ｃと、アクセスポイント１１０ａ〜１１０ｃに電波を介して接続する無線端末１２０ａ〜１２０ｇと、アクセスポイント１１０ａ〜１１０ｃを連結する有線ＬＡＮ１３０と、通知装置１４０と、ルータ１５０と、ＩＰ（Internet Protocol）網１６０と、を備えている。
【００１２】
アクセスポイント１１０ａ〜１１０ｃは、無線ＬＡＮ通信機能と有線ＬＡＮ通信機能とを有しており、無線ＬＡＮと有線ＬＡＮとを相互に接続することができるようにしている。
【００１３】
無線端末１２０ａ〜１２０ｇは、アクセスポイント１１０ａ〜１１０ｃを介して、少なくとも音声通信を行うことができる無線ＩＰ電話端末を用いている。
【００１４】
なお、本実施形態においては、アクセスポイント１１０ａ〜１１０ｃに対する無線端末１２０ａ〜１２０ｇのアクセス制御として、ＲＴＳ（Request To Send）／ＣＴＳ（Clear  To  Send）を用いたＣＳＭＡ／ＣＡ（Carrier Sense Multiple Access with Collision Avoidance）を使用している。
【００１５】
有線ＬＡＮ１３０は、アクセスポイント１１０ａ〜１１０ｃ同士及び通知装置１４０を接続し、これらの間で情報の送受信を行うことができるほか、ルータ１５０を介して、ＩＰ網１６０において情報の送受信を行うことができるようにしている。
【００１６】
ルータ１５０は、有線ＬＡＮ１３０及びＩＰ網１６０に流れるＩＰパケットを監視し、このＩＰパケットのヘッダ情報に基づき、ＩＰパケットをどの経路に転送すべきかを判断する経路選択機能を持つ装置である。
【００１７】
図２はアクセスポイント１１０ａ〜１１０ｃの概略図である。図示するように、アクセスポイント１１０ａ〜１１０ｃは、無線受信部１１１と、無線送信部１１２と、制御部１１３と、記憶部１１４と、有線ＩＦ（Interface）部１１５と、アンテナ１１６と、を有する。
【００１８】
無線受信部１１１は、アンテナ１１６を介して自アクセスポイント１１０ａ〜１１０ｃに接続している無線端末１２０ａ〜１２０ｇから電波を受信し、該電波からデータを抽出して、該データを有線ＩＦ部１１５に出力する。
【００１９】
図示するように、無線受信部１１１は、ＡＦＥ（Analog Front End）部１１１ａと、ＡＤ（Analog Digital）変換部１１１ｂと、フレーム部１１１ｃと、受信バッファ１１１ｄと、を有する。
【００２０】
ＡＦＥ部１１１ａは、アンテナ１１６を介して、無線端末１２０ａ〜１２０ｇから送信された電波を受信し、これをアナログ信号に変換する。
【００２１】
ＡＤ変換部１１１ｂは、ＡＦＥ部１１１ａが受信したアナログ信号をデジタル信号に変換し、フレーム部１１１ｃに出力する。
【００２２】
フレーム部１１１ｃは、ＡＤ変換部１１１ｂより出力されたデジタル信号からＭＡＣフレームを検出して、このＭＡＣフレームからＭＡＣヘッダを抽出してＭＡＣ処理を行い、そのＭＡＣフレームのペイロードを受信バッファ１１１ｄに送出する。
【００２３】
受信バッファ１１１ｄは、フレーム部１１１ｃから受け取ったペイロードをバッファリングし、該ペイロードを、受信データとして、有線ＩＦ部１１５に出力する。
【００２４】
無線送信部１１２は、図２に示されているように、送信バッファ１１２ａと、フレーム部１１２ｂと、ＤＡ変換部１１２ｃと、ＡＦＥ部１１２ｄと、を有する。
【００２５】
送信バッファ１１２ａは、アドレスおよびデータ長を含むヘッダとデータとからなる送信データを、有線ＩＦ部１１５から受信してバッファリングする。
【００２６】
フレーム部１１２ｂは、制御部１１３からの指示に従い、送信バッファ１１２ａに格納されている自アクセスポイント１１０ａ〜１１０ｃに接続する各無線端末１２０ａ〜１２０ｇ宛の送信データを読み出して、この送信データをペイロードに格納したＭＡＣフレームを生成し、これをＤＡ変換部１１２ｃに出力する。
【００２７】
ＤＡ変換部１１２ｃは、フレーム部１１２ｂから出力されたＭＡＣフレームをアナログ信号に変換する。
【００２８】
ＡＦＥ部１１２ｄは、ＤＡ変換部１１２ｃより出力されたアナログ信号を電波に変換してアンテナ１１６から送信する。
【００２９】
制御部１１３は、図２に示されているように、通信制御部１１３ａと、タイミング制御部１１３ｂと、通信情報処理部１１３ｃと、を有する。
【００３０】
通信制御部１１３ａは、無線受信部１１１、無線送信部１１２及び後述する有線ＩＦ部１１５の動作を制御する。
【００３１】
また、通信制御部１１３ａは、音声通信で接続している全ての無線端末１２０ａ〜１２０ｇに一周期分の音声データを送信した場合には、有線ＬＡＮ１３０で接続されている他のアクセスポイント１１０ａ〜１１０ｃに音声データの送信が完了した旨を通知する送信完了通知データを送信するよう、後述する通知情報処理部１１３ｃに指令を出す。このような指令を受けた通知情報処理部１１３ｃは、後述するように、送信完了通知データを作成し有線ＩＦ部１１５を介して送信する。
【００３２】
さらに、通信制御部１１３ａは、音声通信で接続している全ての無線端末１２０ａ〜１２０ｇから一周期分の音声データを受信した場合には、有線ＬＡＮ１３０で接続されている他のアクセスポイント１１０ａ〜１１０ｃに音声データの受信を完了した旨を通知する受信完了通知データを送信するよう、後述する通知情報処理部１１３ｃに指令を出す。このような指令を受けた通知情報処理部１１３ｃは、後述するように、受信完了通知データを作成し有線ＩＦ部１１５を介して送信する。
【００３３】
また、通信制御部１１３ａは、後述する通知情報処理部１１３ｃにおいて他の全てのアクセスポイント１１０ａ〜１１０ｃから送信された受信完了通知データを全て受信したと判断された場合には、無線端末１２０ａ〜１２０ｇとの音声通信を終了し、音声以外のデータ通信を開始する制御を行う。具体的には、音声通信以外のデータ通信を行う無線端末１２０ａ〜１２０ｇに対してＣＴＳ又はＲＴＳを送信することにより、これらの無線端末１２０ａ〜１２０ｇとの間でデータ通信を開始する。
【００３４】
なお、無線端末１２０ａ〜１２０ｇのＭＡＣアドレスとデータ種別（音声と非音声）との対応を各アクセスポイント１１０ａ〜１１０ｃに事前に登録しておけば、アクセスポイント１１０ａ〜１１０ｃは、通信している無線端末１２０ａ〜１２０ｄのＭＡＣアドレスを調べることにより送受信するデータが音声か非音声かを識別できる。その他の方法として、フレーム部１１１ｃで抽出されたＭＡＣフレームが音声通信であるか否かは、ＭＡＣフレームのペイロードに含まれるトランスポート層のＵＤＰ（User Datagram Protocol）で用いられているポート番号を参照することで把握することができる。
【００３５】
タイミング制御部１１３ｂは、後述する通知装置１４０から送信された同期信号を有線ＩＦ部１１５を介して受信すると、自アクセスポイント１１０ａ〜１１０ｃに音声通信で接続している無線端末１２０ａ〜１２０ｇに音声信号を送信する制御を行うように通信制御部１１３ａに対して音声信号送信指令を出す。この音声信号送信指令を受けた通信制御部１１３ａは、無線端末１２０ａ〜１２０ｇとの間で音声通信以外のデータ通信を行っていた場合には、このようなデータ通信を終了し、音声通信で接続している無線端末１２０ａ〜１２０ｇに対して、送信バッファ１１２ａに記憶されている音声データを送信する制御を行う。
【００３６】
通知情報処理部１１３ｃは、全ての無線端末１２０ａ〜１２０ｇに一周期における所定の音声データの送信を終了した場合には、通信制御部１１３ａの指令に応じて、他のアクセスポイント１１０ａ〜１１０ｃに対して音声データの送信が完了した旨を通知する送信完了通知データを作成し、後述する記憶部１１４のアクセスポイント情報記憶部１１４ａに記憶されているＩＰアドレス及びＭＡＣアドレスに基づいて、他のアクセスポイント１１０ａ〜１１０ｃにこの送信完了通知データを送信する。
【００３７】
また、通知情報処理部１１３ｃは、全ての無線端末１２０ａ〜１２０ｇからの一周期における音声データの受信を完了した場合には、通信制御部１１３ａの指令に応じて、他のアクセスポイント１１０ａ〜１１０ｃに対して音声データの受信が完了した旨を通知する受信完了通知データを作成し、後述する記憶部１１４のアクセスポイント情報記憶部１１４ｃに記憶されているＩＰアドレス及びＭＡＣアドレスに基づいて、他のアクセスポイント１１０ａ〜１１０ｃにこの受信完了通知データを送信する。
【００３８】
さらに、通知情報処理部１１３ｃは、他のアクセスポイント１１０ａ〜１１０ｃから受信した送信完了通知データ及び受信完了通知データの送信元アドレスから送信元ＭＡＣアドレス又は送信元ＩＰアドレスを抽出し、後述する記憶部１１４のアクセスポイント情報記憶部１１４ｃに記憶されているアクセスポイント情報を参照することで、全てのアクセスポイント１１０ａ〜１１０ｃから送信完了通知データ又は受信完了通知データを受信したか否かを判定する。そして、全てのアクセスポイント１１０ａ〜１１０ｃからこれらの送信完了通知データ又は受信完了通知データを受信した場合には、送信が完了した旨又は受信が完了した旨を通信制御部１１３ａに通知する。なお、このような通知を受けた通信制御部１１３ａは、前述のように、通知の内容に応じて、無線端末１２０ａ〜１２０ｇからの音声データの受信を開始し、また、音声通信以外のデータ通信を開始する。
【００３９】
記憶部１１４は、アクセスポイント情報記憶部１１４ａを備えている。
【００４０】
アクセスポイント情報記憶部１１４ａは、有線ＬＡＮ１３０に接続されている他のアクセスポイント１１０ａ〜１１０ｃのＩＰアドレス及びＭＡＣアドレスをアクセスポイント情報として記憶している。このアクセスポイント情報は、例えば、ビーコン信号等から取得することも可能であるが、本実施形態では、後述する通信部１１５のＡＲＰ（Address Resolution Protocol）キャッシュを参照することにより取得する。
【００４１】
有線ＩＦ部１１５は、有線ＬＡＮを介してＩＰパケットの送受信を行うためのインターフェースであって、本実施形態では、ＮＩＣ（Network  Interface  Card）により構成されている。
【００４２】
図３は、無線端末１２０ａ〜１２０ｇの概略図である。
【００４３】
図３に示されているように、無線端末１２０ａ〜１２０ｇは、無線受信部１２１と、無線送信部１２２と、制御部１２３と、アプリケーション処理部１２４と、アンテナ１２５と、を有する。
【００４４】
無線受信部１２１は、アンテナ１２５を介してアクセスポイント１１０ａ〜１１０ｃから電波を受信し、この電波からデータを抽出して、アプリケーション処理部１２４に出力する。図示するように、無線受信部１２１は、ＡＦＥ部１２１ａと、ＡＤ変換部１２１ｂと、フレーム部１２１ｃと、受信バッファ１２１ｄと、を有する。
【００４５】
ＡＦＥ部１２１ａは、アンテナ１２５を介してアクセスポイント１１０ａ〜１１０ｃから送信された電波を受信し、これをアナログ信号に変換する。
【００４６】
ＡＤ変換部１２１ｂは、ＡＦＥ部１２１ａが受信したアナログ信号をデジタル信号に変換し、フレーム部１２１ｃに出力する。
【００４７】
フレーム部１２１ｃは、ＡＤ変換部１２１ｂより出力されたデジタル信号からＭＡＣフレームを検出して、ＭＡＣヘッダのヘッダ情報を抽出する等のＭＡＣ処理を行い、ＭＡＣフレームのペイロードを受信バッファ１２１ｄに出力する。
【００４８】
受信バッファ１２１ｄは、フレーム部１２１ｃから受け取ったペイロードをバッファリングし、受信データとしてアプリケーション処理部１２４に出力する。
【００４９】
無線送信部１２２は、送信バッファ１２２ａと、フレーム部１２２ｂと、ＤＡ変換部１２２ｃと、ＡＦＥ部１２２ｄと、を有する。
【００５０】
送信バッファ１２２ａは、アドレスおよびデータ長を含むヘッダとデータとからなる送信データを、アプリケーション処理部１２４から受信してバッファリングする。
【００５１】
フレーム部１２２ｂは、制御部１２３からの指示に従い送信バッファ１２２ａに格納されている送信データを読み出して、該送信データをペイロードに格納したＭＡＣフレームを生成し、これをＤＡ変換部１２２ｃに出力する。
【００５２】
ＤＡ変換部１２２ｃは、フレーム部１２２ｃより出力されたＭＡＣフレームをアナログ信号に変換する。
【００５３】
ＡＦＥ部１２２ｄは、ＤＡ変換部１２２ｃより出力されたアナログ信号を電波に変換してアンテナ１２５から送信する。
【００５４】
制御部１２３は、無線受信部１２１及び無線送信部１２２の制御を行う。
【００５５】
アプリケーション処理部１２４は、本実施形態では、音声通信を行うための電話端末の本体部であり、無線送信部１２２を介して送出する音声符号化信号の生成や無線受信部１２１から送られてきた音声符号化信号に基づいて音声の再生を行う。
【００５６】
図４は、通知装置１４０の概略図である。
【００５７】
図４に示されているように、通知装置１４０は、タイマ１４１と、タイミング制御部１４２と、有線ＩＦ部１４３と、を備えている。
【００５８】
タイマ１４１は、水晶発振器等からのクロック信号をカウントすることにより、時間を計測する。
【００５９】
タイミング制御部１４２は、タイマ１４１で特定の周期を計測し、特定の周期毎に、後述する有線ＩＦ部１４３を介して、有線ＬＡＮ１３０に接続されている各アクセスポイント１１０ａ〜１１０ｃに、同期信号を送信する。
【００６０】
ここで、同期信号を送信する周期については、音声データの無線信号の送信を開始する周期であって、音声通信を無線ＬＡＮで扱うための規格に合わせて適宜設計すればよいが、本実施形態では、ＩＥＥＥ（Institute of Electrical Electronics Engineer）８０２．１１の規格に合わせて、２０ｍｓにしている。
【００６１】
同期信号は、各アクセスポイント１１０ａ〜１１０ｃで音声データのＭＡＣフレームの送信開始時期を知らせることができるものであればどのようなものであってもよく、本実施形態では、同期信号であることを識別することができる所定のデータをペイロード内に設定して、各アクセスポイント１１０ａ〜１１０ｃに送信するようにしている。
【００６２】
有線ＩＦ部１４３は、有線ＬＡＮを介してＩＰパケットの送受信を行うためのインターフェースであって、本実施形態では、イーサネット（登録商標）規格のＮＩＣを用いている。
【００６３】
以上のように構成される通信システム１００のアクセスポイント１１０ａ〜１１０ｃにおいて、無線端末１２０ａ〜１２０ｇとの間で無線信号を送受信するタイミングを制御する手順を図４に示すフローチャートを用いて説明する。
【００６４】
まず、アクセスポイント１１０ａ〜１１０ｃと無線端末１２０ａ〜１２０ｇとの間で、音声通信以外のデータ通信を行っているものとする（Ｓ１７０）。
【００６５】
通知装置１４０から送信された同期信号を有線ＩＦ部１１５を介して受信すると（Ｓ１７１）、アクセスポイント１１０ａ〜１１０ｃは、音声通信以外のデータ通信を終了し、送信バッファ１１２ａに記憶されている音声データからＭＡＣフレームを生成して、自アクセスポイント１１０ａ〜１１０ｃに接続している無線端末１２０ａ〜１２０ｇに送信する（Ｓ１７２）。
【００６６】
そして、自アクセスポイント１１０ａ〜１１０ｃに音声通信で接続している全ての無線端末１２０ａ〜１２０ｇに一周期分の音声データの送信を完了すると（Ｓ１７３）、有線ＬＡＮ１３０に接続されている全てのアクセスポイント１１０ａ〜１１０ｃに音声データの送信が完了した旨を通知する送信完了通知データを送信する（Ｓ１７４）。なお、この送信完了通知データは、通信制御部１１３ａから指令を受けた通知情報処理部１１３ｃが作成し、有線ＩＦ部１１５を介して送信する。
【００６７】
一方、有線ＬＡＮ１３０に接続されている全てのアクセスポイント１１０ａ〜１１０ｃから送信された送信完了通知データを受信した場合には（Ｓ１７５）、アクセスポイント１１０ａ〜１１０ｃは、音声通信でそのアクセスポイント１１０ａ〜１１０ｃに接続している無線端末１２０ａ〜１２０ｇのＲＴＳに対してＣＴＳを送信することにより（Ｓ１７６）、この無線端末１２０ａ〜１２０ｇからの音声データの無線信号を受信する（Ｓ１７７）。
【００６８】
音声通信で接続している全ての無線端末１２０ａ〜１２０ｇからの一周期分の音声データの受信が完了した場合には（Ｓ１７８）、有線ＬＡＮ１３０に接続されている全てのアクセスポイント１１０ａ〜１１０ｃに対して、音声データの受信を完了した旨の受信完了通知データを送信する（Ｓ１７９）。なお、受信完了通知データは、通信制御部１１３ａから指令を受けた通知情報処理部１１３ｃが作成し、有線ＩＦ部１１５を介して送信する。
【００６９】
そして、有線ＬＡＮ１３０に接続されている全てのアクセスポイント１１０ａ〜１１０ｃから送信された受信完了通知データを受信した場合には（Ｓ１８０）、ステップＳ１７０に戻り、無線端末１２０ａ〜１２０ｇとの間で、音声通信以外のデータ通信を再開する。具体的には、受信バッファ１１１ｄに無線端末１２０ａ〜１２０ｇへの送信データが記憶されている場合には、送信先である無線端末１２０ａ〜１２０ｇにＲＴＳを送信し、一方、無線端末１２０ａ〜１２０ｇからＲＴＳを受信した場合には、この無線端末１２０ａ〜１２０ｇに対してＣＴＳを返信することにより、これらの無線端末１２０ａ〜１２０ｇとの間でデータ通信を行う。
【００７０】
アクセスポイント１１０ａ〜１１０ｃと無線端末１２０ａ〜１２０ｇとの間で行う通信のタイミングチャートを図６に示す。
【００７１】
ここで、図６では、アクセスポイント１１０ａに無線端末１２０ａ〜１２０ｃが接続しており、無線端末１２０ａ及び１２０ｂは、アクセスポイント１１０ａに音声通信で接続しており、無線端末１２０ｃは、アクセスポイント１１０ａに音声通信以外のデータ通信を行っているものとする。また、アクセスポイント１１０ａに隣接するアクセスポイント１１０ｂに無線端末１２０ｄ及び１２０ｅが接続しており、無線端末１２０ｄ及び１２０ｅは、アクセスポイント１１０ｂに音声通信で接続しているものとする。
【００７２】
まず、アクセスポイント１１０ａは、通知装置１４０からの同期信号「同１」を受信すると、無線端末１２０ａに音声データの無線信号「音１」を送信し、また、無線端末１２０ｂに音声データの無線信号「音２」を送信する。
【００７３】
また、この同期信号「同１」を受信したアクセスポイント１１０ｂは、無線端末１２０ｄに音声データの無線信号「音８」を送信し、また、無線端末１２０ｅに音声データの無線信号「音９」を送信する。
【００７４】
そして、有線ＬＡＮ１３０に接続されている全てのアクセスポイント１１０ａ〜１１０ｃで一周期分の音声データの無線信号の送信が完了すると、アクセスポイント１１０ａは、無線端末１２０ａのＲＴＳ「Ｒ１」に対してＣＴＳ「Ｃ１」を送信し、この「Ｃ１」を受信した無線端末１２０ａは、音声データの無線信号「音３」を送信する。また、無線端末１２０ａの音声データの無線信号「音３」の受信を完了したアクセスポイント１１０ａは、所定の期間を空けて受信した無線端末１２０ｂからのＲＴＳ「Ｒ２」に対してＣＴＳ「Ｃ２」を返信し、この「Ｃ２」に応じて、無線端末１２０ｂは、音声データの無線信号「音４」を送信する。
【００７５】
同様に、アクセスポイント１１０ｂでも、無線端末１２０ｄのＲＴＳ「Ｒ７」に対してＣＴＳ「Ｃ７」を返信し、この「Ｃ７」に応じて、無線端末１２０ｄは音声データの無線信号「音１０」を送信する。また、無線端末１２０ｄの音声データの無線信号「音１０」の受信を完了したアクセスポイント１１０ｂは、所定の期間を空けて受信した無線端末１２０ｅのＲＴＳ「Ｒ８」に対してＣＴＳ「Ｃ８」を返信し、この「Ｃ８」に応じて、無線端末１２０ｅは音声データの無線信号「音１１」を送信する。
【００７６】
そして、全てのアクセスポイント１１０ａ〜１１０ｃで無線端末１２０ａ〜１２０ｇからの音声データの無線信号の受信が完了すると、アクセスポイント１１０ａは、音声通信以外のデータ通信で接続されている無線端末１２０ｃからのＲＴＳ「Ｒ３」に対してＣＴＳ「Ｃ３」を返信し、このＣ３に応じて無線端末１２０ｃはデータ無線信号「Ｄ１」を送信する。また、アクセスポイント１１０ａは、無線端末１２０ｃにＲＴＣ「Ｒ４」を送信し、その返答であるＣＴＳ「Ｃ４」を受信すると、送信データであるデータ無線信号「Ｄ２」を送信する。また、この送信データが「Ｄ２」では送りきれない場合には、再び無線端末１２０ｃにＲＴＣ「Ｒ５」を送信し、その返答であるＣＴＳ「Ｃ５」を受信すると、送信データであるデータ無線信号「Ｄ３」を送信する。この間、無線端末１２０ａ〜１２０ｇと音声以外のデータ通信を行っていないアクセスポイント１１０ａ〜１１０ｃは、アイドル状態となっている。
【００７７】
そして、通知装置１４０からの同期信号「同２」をアクセスポイント１１０ａ及び１１０ｂが受信すると、アクセスポイント１１０ａ及び１１０ｂは、音声データの無線信号の送信を開始する。
【００７８】
なお、「同１」から「同２」までの期間（周期）は、２０ｍｓとなっている。
【００７９】
以上のように、本実施形態によれば、アクセスポイント１１０ａ〜１１０ｃから無線端末１２０ａ〜１２０ｇへの音声データの無線信号の送出時期と、無線端末１２０ａ〜１２０ｇからアクセスポイント１１０ａ〜１１０ｃへの音声データの無線信号の送出時期と、が重ならないため、無線端末１２０ａ〜１２０ｇ同士が距離的に近い位置にある場合にも、受信信号と送信信号とが干渉してしまうことを防止することができる。
【００８０】
以下、この効果をより具体的に説明する。
【００８１】
ＩＥＥＥ８０２．１１の規格では、アクセスポイントと無線端末との間の搬送波の周波数帯は、１４チャンネルが規定されているが、サイドローブを含めた周波数帯が互いに重ならずに伝送できるのは、通常、４チャンネルまでである。したがって、ここでは、４チャンネルでアクセスポイントを配置する場合を例にして説明する。
【００８２】
まず、特定のアクセスポイントから無線端末に送信する無線信号に対して、この特定のアクセスポイントと同じチャンネル周波数を使用する他のアクセスポイントに無線端末から送信する無線信号が干渉する例を図７を用いて説明する。
【００８３】
図７は、アクセスポイント１１０ａ〜１１０ｇの配置例を示す概略図である。
【００８４】
図７では、各アクセスポイント１１０ａ〜１１０ｇの担当する範囲を正六角形としたハニカム状となるように各アクセスポイント１１０ａ〜１１０ｇを配置している。なお、各アクセスポイント１１０ａ〜１１０ｇの内側に示されている数字は、各アクセスポイント１１０ａ〜１１０ｇで使用するチャンネル周波数のチャンネル番号を示している。
【００８５】
このような例では、図７（ａ）に示されているように、アクセスポイント１１０ａと、これに接続する無線端末１２０ａとの間の最大距離をＬとすると、同一のチャンネル周波数を利用するアクセスポイント１１０ａと１１０ｇとの間の距離は２√３・Ｌとなり、同一のチャンネル周波数を利用する他のアクセスポイント１１０ｇに接続する無線端末１２０ｈからアクセスポイント１１０ａまでの距離は１．５√３・Ｌとなる。
【００８６】
また、図７（ｂ）に示されているように、アクセスポイント１１０ａに接続する無線端末１２０ａ、１２０ｂの最大距離をＬとすると、アクセスポイント１１０ａに接続する無線端末１２０ａと同一のチャンネル周波数を利用するアクセスポイント１１０ｇに接続する無線端末１２０ｉとの間の最小距離は√３・Ｌとなり、アクセスポイント１１０ａに接続する無線端末１２０ｂと同一のチャンネル周波数を利用するアクセスポイント１１０ｇとの間の最小距離は√７・Ｌとなる。
【００８７】
ここで、一般に、無線端末やアクセスポイントの受信電力は、送信元からの距離の２乗に逆比例することが知られている。
【００８８】
そして、このような場合に、無線端末１２０ａ、１２０ｈ及びアクセスポイント１１０ｇから送信された無線信号をアクセスポイント１１０ａで受信する際、ならびに、アクセスポイント１１０ａ、１１０ｇ及び無線端末１２０ｉから送信された無線信号を無線端末１２０ａで受信する際の受信電力、信号電力、雑音電力、ＣＮ比（キャリアノイズ）は、表１のようになる。なお、ここでは、アクセスポイント及び無線端末からの送信電力は同じであると仮定している。
【００８９】
【表１】
0004836529.tif 000002
【００９０】
ここで、信号電力は、アクセスポイント１１０ａから送信された無線信号をこのアクセスポイント１１０ａの担当領域内にある無線端末１２０ａが受信する際の受信電力、または、この無線端末１２０ａから送信された無線信号をこのアクセスポイント１１０ａが受信する際の受信電力である。
【００９１】
また、雑音電力は、同一のチャンネル周波数を使用する他のアクセスポイント１１０ｇ又はこのアクセスポイント１１０ｇの担当範囲内にある無線端末１２０ｉから送信された無線信号をアクセスポイント１０１ａ又はアクセスポイント１０１ａの担当範囲内にある無線端末１２０ａで受信した際の受信電力である。
【００９２】
ＣＮ比は、前述の信号電力を雑音電力で除した値である。
【００９３】
表１より、従来の技術では、アクセスポイント１１０ａで受信する無線信号よりもこのアクセスポイントの担当範囲内にある無線端末１２０ａ、１２０ｂで受信する無線信号のＣＮ比が低く、雑音の影響を受けやすいことがわかるとともに、その雑音の影響は、アクセスポイント１１０ａと同一のチャンネル周波数を使用するアクセスポイント１１０ｇに接続する無線端末１２０ｉからの影響が大きいことがわかる。
【００９４】
この点、本発明を適用することにより、アクセスポイント１１０ａとアクセスポイント１１０ｇからの音声信号の送出タイミングが同じになるため、アクセスポイント１１０ａから送出された無線信号を無線端末１２０ａ、１２０ｂで受信するタイミングと無線端末１２０ｉがアクセスポイント１１０ｇに無線信号を送信するタイミングとが一緒になることはなくなるため、表１の本発明適用時のＣＮ比に示されているように、無線端末１２０ａ、１２０ｂで受信する無線信号のＣＮ比が３．００から７．００に、大幅に改善する。
【００９５】
次に、特定のアクセスポイントから無線端末に送信する無線信号に対して、この特定のアクセスポイントに隣接するアクセスポイントに無線端末から送信する無線信号が干渉する例を図８を用いて説明する。
【００９６】
図８は、アクセスポイント１１０ａ〜１１０ｇの配置例を示す概略図であり、図７と同様に、各アクセスポイント１１０ａ〜１１０ｇの担当する範囲を正六角形としたハニカム状となるように各アクセスポイント１１０ａ〜１１０ｇを配置し、各アクセスポイント１１０ａ〜１１０ｇの内側に示されている数字は、各アクセスポイント１１０ａ〜１１０ｇで使用するチャンネル周波数のチャンネル番号を示している。
【００９７】
このような例では、図８（ａ）に示されているように、アクセスポイント１１０ａと、これに接続する無線端末１２０ａとの間の最大距離をＬとすると、アクセスポイント１１０ａとこのアクセスポイント１１０ａに隣接するアクセスポイント１１０ｇとの間の距離は√３・Ｌとなり、隣接するアクセスポイント１１０ｂに接続する無線端末１２０ｊからアクセスポイント１１０ａまでの最小距離は０．５√３・Ｌとなる。
【００９８】
また、図８（ｂ）に示されているように、アクセスポイント１１０ａに接続する無線端末１２０ａ、１２０ｂの最大距離をＬとすると、アクセスポイント１１０ａに接続する無線端末１２０ａと隣接するアクセスポイント１１０ｂとの間の最大距離はＬとなる。なお、アクセスポイント１１０ａに接続する無線端末１２０ａと隣接するアクセスポイント１１０ｂに接続する無線端末１２０ｋとの間の距離をΔＬ（０＜Δ＜１）とする。
【００９９】
ここで、通常、隣接するアクセスポイント同士は、混信を防ぐため異なるチャンネル周波数を使用している。そして、アクセスポイントや無線端末は、アンテナで受信した無線信号から自己が使用するチャンネル周波数のみをフィルタリングして抽出しているが、特にチャンネル周波数同士が隣接しているような場合には、他のチャンネル周波数を完全にはフィルタリングすることはできず、いくらか減衰することはできるが、雑音となって進入してくることが知られている。
【０１００】
このような場合に、無線端末１２０ａ、１２０ｈ及びアクセスポイント１１０ｂから送信された無線信号をアクセスポイント１１０ａで受信する際、ならびに、アクセスポイント１１０ａ、１１０ｂ及び無線端末１２０ｋから送信された無線信号を無線端末１２０ａで受信する際の受信電力、信号電力、雑音電力、ＣＮ（Carrier to Noise）比を表１と同様に表２にまとめると、下記のようになる。
【０１０１】
【表２】
0004836529.tif 000003
【０１０２】
ここで、隣接するアクセスポイント１１０ｂからの無線信号は、フィルタによりＫ（０＜Ｋ＜１）倍に減衰されるものと仮定している。
【０１０３】
表２より、従来の技術において、アクセスポイント１１０ａに接続する無線端末１２０ａで受信する無線信号に対して、アクセスポイント１１０ａに隣接するアクセスポイント１１０ｂに接続する無線端末１２０ｋからの雑音は、Ｋ／Δ２となり、そのＣＮ比は、１／（Ｋ／Δ２）＝Δ２／Ｋとなることがわかる。
【０１０４】
具体的には、ＩＥＥＥ８０２．１１の規定では、チャンネル周波数間の差分が１６．５ＭＨｚの場合は−３０ｄＢ（１／１０００）以下に、２７．５ＭＨｚの場合には−５０ｄＢ（１／１０００００）以下に減衰するように定めている。したがって、ここでは、減衰率Ｋ＝−４０ｄＢと仮定する。
【０１０５】
また、無線端末間の距離Δについては、Δ＝０．００３と仮定する。例えば、Ｌ＝２０ｍとするとΔＬ＝６０ｃｍとなる。
【０１０６】
このような場合のＣＮ比は、０．９となる。すなわち、無線端末１２０ａでは、隣接するアクセスポイント１１０ｂに接続する無線端末１２０ｋの送信する無線信号（雑音成分）がアクセスポイント１１０ａから受信する無線信号よりも大きくなってしまう場合がある。
【０１０７】
この点、本発明を適用することにより、アクセスポイント１１０ａとアクセスポイント１１０ｇからの音声信号の送出タイミングが同じになるため、アクセスポイント１１０ａから送出された無線信号を無線端末１２０ａ、１２０ｂで受信するタイミングと、無線端末１２０ｉがアクセスポイント１１０ｇに無線信号を送信するタイミングと、が一緒になることはなくなり、表２の本発明適用時のＣＮ比に示されているように、無線端末１２０ａ、１２０ｂで受信する無線信号のＣＮ比がΔ２／Ｋから１／Ｋとなる。
【０１０８】
これは、先ほどの具体例を当てはめると、ＣＮ比＝１００００となり、大幅にＣＮ比が改善していることがわかる。
【０１０９】
以下、本発明の第二の実施形態について説明する。
【０１１０】
第一の実施形態においては、アクセスポイント１１０ａ〜１１０ｃにおいて、音声信号の送信完了通知データと受信完了通知データとを相互に送受信していたが、本実施形態では、このような通知データの送受信は行っておらず、また、第一の実施形態では、音声データを通信した後に音声以外のデータの通信を行う通信期間を設けているが、本実施形態では、音声通信用の周波数帯と音声通信以外のデータ通信用の周波数帯を分けることにより、このようなデータ通信の通信期間を設けていない。また、第一の実施形態では、ＲＴＳ／ＣＴＳを用いたアクセス制御を用いているが、本実施形態ではこのようなＲＴＳ／ＣＴＳは用いていない。
【０１１１】
なお、本実施形態における通信システムも、アクセスポイント２１０ａ〜２１０ｃと、アクセスポイント２１０ａ〜２１０ｃに無線を介して接続する無線端末１２０ａ〜１２０ｇと、アクセスポイント２１０ａ〜２１０ｃを連結する有線ＬＡＮ１３０と、通知装置１４０と、ルータ１５０と、ＩＰ網１６０と、を備えており、第一の実施形態と比較して、アクセスポイント２１０ａ〜２１０ｃのみが異なっているため、以下、この相違点に関連する事項についてのみ説明する。
【０１１２】
図９は、本発明の第二の実施形態で使用されるアクセスポイント２１０ａ〜２１０ｃの概略図である。
【０１１３】
図９に示されているように、アクセスポイント２１０ａ〜２１０ｃは、無線部２１７Ａ、２１７Ｂと、制御部２１４と、有線ＩＦ部１１５と、アンテナ２１６Ａ、２１６Ｂと、タイマ２１８と、により構成されている。
【０１１４】
本実施形態においては、音声通信用の周波数帯（例えば、２．４ＧＨｚ帯）と音声通信以外のデータ通信用の周波数帯（例えば、５ＧＨｚ帯）を二つ用いるため、それぞれ、音声通信用のアンテナ２１６Ａ及び無線部２１７Ａと、データ通信用のアンテナ２１６Ｂ及び無線部２１６Ｂと、を設けている。
【０１１５】
なお、これらの無線部２１７Ａ、２１７Ｂは、それぞれ、ＡＦＥ部２１１ａ、ＡＤ変換部２１１ｂ、フレーム部２１１ｃ及び受信バッファ２１１ｄを有する無線受信部２１１と、送信バッファ２１２ａ、フレーム部２１２ｂ、ＤＡ変換部２１２ｃ及びＡＦＥ部２１２ｄを有する無線送信部２１２と、により構成されており、これらの動作内容は第一の実施形態と同様であるため、その説明は省略する。
【０１１６】
さらに、有線ＩＦ部１１５についても、第一の実施形態と同様であるので、説明を省略する。
【０１１７】
本実施形態における制御部２１３は、通信制御部２１３ａと、タイミング制御部２１３ｂと、ダミー信号生成部２１３ｃと、を備えている。
【０１１８】
通信制御部２１３ａは、無線部２１７Ａ、２１７Ｂ及び有線ＩＦ部１１５を制御する。
【０１１９】
タイミング制御部２１３ｂは、通知装置１４０から送信された同期信号を有線ＩＦ部１１５を介して受信すると、通信制御部２１３ａに対して、自アクセスポイント２１０ａ〜２１０ｃに音声通信で接続している無線端末１２０ａ〜１２０ｇに音声信号を送信する制御を行うように音声信号送信指令を出す。この音声信号送信指令を受けた通信制御部２１３ａは、無線端末１２０ａ〜１２０ｇとの間で音声通信以外のデータ通信を行っていた場合には、このようなデータ通信を終了し、音声通信で接続している無線端末１２０ａ〜１２０ｇに対して、送信バッファ２１２ａに記憶されている音声データを送信する制御を行う。
【０１２０】
ここで、本実施形態では、第一の実施形態と異なり、アクセスポイント２１０ａ〜２１０ｃから音声データの無線信号を送出する周期である２０ｍｓの半分（１０ｍｓ）をアクセスポイント２１０ａ〜２１０ｃから無線端末１２０ａ〜１２０ｇに対して音声データの無線信号を送信する期間とし、残りの半分を無線端末１２０ａ〜１２０ｇからの音声データの無線信号を受信する期間としている。
【０１２１】
従って、タイミング制御部２１３ｂは、通信制御部２１３ａで全ての無線端末１２０ａ〜１２０ｂに一周期における音声データの送信が完了してしまった場合には、この音声データを送出する期間が終了するまで、後述するダミー信号作成部２１３ｃで作成されたダミー信号をアンテナ２１６Ａから送信する制御を行う。具体的には、タイミング制御部２１３ｂは、後述するタイマ２１８からの時間情報に基づいて、通知装置１４０から同期信号を受信した時から１０ｍｓを計数し、この時間が経過するまで、ダミー信号を送信する制御を行う。
【０１２２】
ダミー信号作成部２１３ｃは、タイミング制御部２１３ｂからの要求に応じて、ダミー信号を作成する。ダミー信号は、各無線端末１２０ａ〜１２０ｇに対してアクセスポイント２１０ａ〜２１０ｃが送信中であることを知らせて、無線端末１２０ａ〜１２０ｇからの送信を一時的に中止させるためのものである。このため、このダミー信号に含まれている情報自体は何等意味がないものでよく、例えば、ダミー信号は、存在しない無線端末のアドレスを送信先とし、ペイロード部分には、空データを入れておけばよい。
【０１２３】
タイマ２１８は、水晶発振器等からのクロック信号をカウントすることにより、時間を計測する。
【０１２４】
本実施形態で使用する無線端末１２０ａ〜１２０ｇは、第一の実施形態と同様であるので説明を省略するが、一つの無線端末１２０ａ〜１２０ｇで音声通信とデータ通信の両方を行う場合には、アクセスポイント２１０ａ〜２１０ｃと同様に、各周波数に対応した無線受信部１２１、無線送信部１２２及びアンテナ１２５をそれぞれ二つ設ける。
【０１２５】
また、本実施形態で使用する通知装置１４０も、第一の実施形態と同様であるため、説明を省略する。
【０１２６】
以上のように構成される本実施形態におけるアクセスポイント２１０ａ〜２１０ｃにおいて、無線端末１２０ａ〜１２０ｇとの間で無線信号を送受信するタイミングを制御する手順を図１０に示すフローチャートを用いて説明する。
【０１２７】
まず、アクセスポイント２１０ａ〜２１０ｃは、無線端末１２０ａ〜１２０ｇからの音声データの無線信号を受信しているものとする（Ｓ２７０）。
【０１２８】
通知装置１４０から送信された同期信号を通信部１１５で受信すると（Ｓ２７１）、アクセスポイント２１０ａ〜２１０ｃは、無線端末１２０ａ〜１２０ｇからの音声データの無線信号の受信を終了し、記憶部２１４の送信バッファ２１２ａに記憶されている音声データを無線端末１２０ａ〜１２０ｇに送信する（Ｓ２７２）。
【０１２９】
そして、自アクセスポイント２１０ａ〜２１０ｃに接続している無線端末１２０ａ〜１２０ｇの全てに一周期分の音声データの送信を完了すると（Ｓ２７３）、タイミング制御部２１３ｂは、アクセスポイント２１０ａ〜２１０ｃの音声信号の送信期間が経過したか否かを判断し、この送信期間が経過していない場合には（Ｓ２７４）、ダミー信号作成部２１３ｃで作成されたダミー信号を送信し（Ｓ２７５）、その送信期間が経過した場合には（Ｓ２７４）、無線端末１２０ａ〜１２０ｇからの音声信号の受信を開始する（Ｓ２７６）。この無線端末１２０ａ〜１２０ｇからの音声信号の受信は、通知装置１４０からの同期信号を受信するまで続く。
【０１３０】
アクセスポイント２１０ａ〜２１０ｃと無線端末１２０ａ〜１２０ｇとの間で無線信号を送受信するタイミングチャートを図１１に示す。
【０１３１】
ここで、図１１では、アクセスポイント２１０ａには、無線端末１２０ａ及び１２０ｂが接続しており、このアクセスポイント２１０ａに隣接するアクセスポイント２１０ｂには、無線端末１２０ｃ〜１２０ｆが接続しているものとする。
【０１３２】
まず、アクセスポイント２１０ａは、通知装置１４０からの同期信号「同１」を受信すると、無線端末１２０ａに音声データの無線信号「音１」を送信し、無線端末１２０ｂに音声データの無線信号「音２」を送信し、アクセスポイント２１０ａからの音声信号送出期間（ここでは、１０ｍｓ）が経過するまで、「ダミー信号１」を送信する。
【０１３３】
また、この同期信号「同１」を受信するアクセスポイント２１０ｂは、無線端末１２０ｃに音声データの無線信号「音７」を送信し、無線端末１２０ｄに音声データの無線信号「音８」を送信し、無線端末１２０ｅに音声データの無線信号「音９」を送信し、無線端末１２０ｆに音声データの無線信号「音１０」を送信する。
【０１３４】
そして、アクセスポイント２１０ａ及び２１０ｂの音声信号送信期間が経過すると、これらのアクセスポイント２１０ａ、２１０ｂは、音声データの無線信号の送信を一時中止する。
【０１３５】
音声信号のキャリアセンスを行っている無線端末１２０ａは、所定のＩＦＳ（Inter Frame Space）時間とバックオフタイムの経過後、アクセスポイント２１０ａに音声データの無線信号「音３」を送信し、また、無線端末１２０ｂも音声データの無線信号が送信されていないことを検知してから、所定のＩＦＳ時間とバックオフタイムの経過後、アクセスポイント２１０ａに音声データの無線信号「音４」を送信する。
【０１３６】
また、同様に、無線端末１２０ｃ〜１２０ｆでも、それぞれアクセスポイント２１０ｂに音声データの無線信号「音１１」、「音１２」、「音１３」、「音１４」を送信する。
【０１３７】
そして、アクセスポイント２１０ａ及び２１０ｂは、通知装置１４０からの同期信号「同２」を受信すると、音声データの無線信号「音５」、「音６」、「音１５」、「音１６」、「音１７」を送信することにより、無線端末１２０ａ〜１２０ｆからの音声データの無線信号の受信を一時的に中止する。
【０１３８】
以上のように、本実施形態によれば、アクセスポイント２１０ａ〜２１０ｃから無線端末１２０ａ〜１２０ｇへの音声データの無線信号の送出時期と、無線端末１２０ａ〜１２０ｇからアクセスポイント２１０ａ〜２１０ｃへの音声データの無線信号の送出時期と、が重ならないため、無線端末１２０ａ〜１２０ｇ同士が距離的に近い位置にある場合にも、受信信号と送信信号とが干渉してしまうことを防止することができる。
【０１３９】
以下、本発明の第三の実施形態について説明する。
【０１４０】
第一の実施形態においては（第二の実施形態においても同様）、有線ＬＡＮ１３０に接続されている全てのアクセスポイント１１０ａ〜１１０ｃにおいて、音声データの無線信号の送信開始タイミング及び音声データの無線信号の受信開始タイミングを揃えることで、無線端末１２０ａ〜１２０ｇにおける送信信号と受信信号とが干渉するのを防止しているが、本実施形態では、送信信号と受信信号とが干渉している無線端末３２０ａ〜３２０ｇに対する送信信号の送出タイミングをアクセスポイント３１０ａ〜３１０ｃにおいて変更することで、これらの干渉を解消するようにしている。
【０１４１】
なお、本実施形態における通信システムも、アクセスポイント３１０ａ〜３１０ｃと、アクセスポイント３１０ａ〜３１０ｃに電波を介して接続する無線端末３２０ａ〜３２０ｇと、アクセスポイント３１０ａ〜３１０ｃを連結する有線ＬＡＮ１３０と、通知装置１４０と、ルータ１５０と、ＩＰ網１６０と、を備えており、第一の実施形態と比較して、アクセスポイント３１０ａ〜３１０ｃ及び無線端末３２０ａ〜３２０ｇが異なっているため、以下、この相違点に関する事項についてのみ説明する。
【０１４２】
図１２は、本発明の第三の実施形態で使用されるアクセスポイント３１０ａ〜３１０ｃの概略図である。
【０１４３】
図１２に示されているように、アクセスポイント３１０ａ〜３１０ｃは、無線受信部１１１と、無線送信部１１２と、制御部３１３と、記憶部３１４と、有線ＩＦ部１１５と、アンテナ１１６と、を備えている。
【０１４４】
ここで、無線受信部１１１、無線送信部１１２、有線ＩＦ部１１５及びアンテナ１１６については、第一の実施形態と同様であるため、説明を省略する。
【０１４５】
本実施形態における制御部３１３は、通信制御部３１３ａと、切替制御部３１３ｂと、通知情報処理部３１３ｃと、を備えている。
【０１４６】
通信制御部３１３ａは、無線受信部１１１、無線送信部１１２及び有線ＩＦ部１１５を制御する。
【０１４７】
また、通信制御部３１３ａは、音声通信で接続している全ての無線端末３２０ａ〜３２０ｇに一周期における全ての音声データを送信した場合には、有線ＬＡＮ１３０で接続されている他のアクセスポイント３１０ａ〜３１０ｃに音声データの送信を完了した旨を通知する送信完了通知データを送信するよう、後述する通知情報処理部３１３ｄに指令を出す。このような指令を受けた通知情報処理部３１３ｄは、後述するように、送信完了通知データを作成し有線ＩＦ部１１５を介して送信する。
【０１４８】
さらに、通信制御部３１３ａは、音声通信で接続している全ての無線端末３２０ａ〜３２０ｇからの一周期分の全ての音声データの無線信号を受信した場合には、有線ＬＡＮ１３０で接続されている他のアクセスポイント３１０ａ〜３１０ｃに音声データの無線信号の受信を完了した旨を通知する受信完了通知データを送信するよう、後述する通知情報処理部３１３ｄに指令を出す。このような指令を受けた通知情報処理部３１３ｄは、後述するように、受信完了通知データを作成し有線ＩＦ部１１５を介して送信する。
【０１４９】
また、通信制御部３１３ａは、後述する通知情報処理部３１３ｃにおいて他の全てのアクセスポイント３１０ａ〜３１０ｃから受信完了通知データを受信したと判断された場合には、無線端末３２０ａ〜３２０ｇとの音声通信を終了し、音声以外のデータ通信を開始する制御を行う。
【０１５０】
具体的には、音声通信以外のデータ通信を行う無線端末３２０ａ〜３２０ｇに対してＣＴＳ又はＲＴＳを送信することにより、これらの無線端末３２０ａ〜３２０ｇとの間でデータ通信を開始する。
【０１５１】
なお、無線端末３２０ａ〜３２０ｇのＭＡＣアドレスとデータ種別（音声と非音声）との対応を各アクセスポイント３１０ａ〜３１０ｃに事前に登録しておけば、アクセスポイント３１０ａ〜３１０ｃは通信している無線端末３２０ａ〜３２０ｄのＭＡＣアドレスを調べることにより送受信するデータが音声か非音声かを識別できる。その他の方法として、フレーム部で抽出されたＭＡＣフレームが音声通信であるか否かは、ＭＡＣフレームのペイロードに含まれるトランスポート層のＵＤＰ（User Datagram Protocol）で用いられているポート番号を参照することで把握することができる。
【０１５２】
切替制御部３１３ｂは、自アクセスポイント３１０ａ〜３１０ｃに接続されている各無線端末３２０ａ〜３２０ｇから送信されてきたエラー情報に基づいて、自アクセスポイント３１０ａ〜３１０ｃに接続されている各無線端末３２０ａ〜３２０ｇで生じた伝送誤りの回数を無線端末３２０ａ〜３２０ｇ毎にカウントする。そして、後述する通知情報処理部３１３ｃにおいて全てのアクセスポイント３１０ａ〜３１０ｃで無線端末３２０ａ〜３２０ｇへの音声信号の送信が完了したと判断された場合には、乱数Ｎを抽出し、無線端末３２０ａ〜３２０ｇ毎にカウントした伝送誤りの回数がこの乱数Ｎよりも多いか否かを判断し、伝送誤りの回数が乱数Ｎよりも多い無線端末３２０ａ〜３２０ｇがある場合には、自アクセスポイント３１０ａ〜３１０ｃに接続されている無線端末３２０ａ〜３２０ｇに対して音声データの無線信号を送信する順番を変更する。
【０１５３】
なお、順番の変更については、任意に設定することができるが、本実施形態では、変更対象となった無線端末３２０ａ〜３２０ｇをその次に音声データを送信するようになっている無線端末３２０ａ〜３２０ｇと順番を入れ替えるようにしている（最後に音声データを送信していた無線端末３２０ａ〜３２０ｇに対しては、最初に音声データを送信するようにし、他の無線端末３２０ａ〜３２０ｇに対しては、一つずつ送信する順番を後にずらすようにしている）。
【０１５４】
さらに、本実施形態では、無線端末３２０ａ〜３２０ｇから伝送誤りがなかった旨のエラー情報を受信した場合、および、無線端末３２０ａ〜３２０ｇに対する音声データの送信順序を変更した場合には、その無線端末３２０ａ〜３２０ｇに対してカウントした伝送誤りの回数をリセットするようにしている。
【０１５５】
通知情報処理部３１３ｃは、各アクセスポイント３１０ａ〜３１０ｃに音声通信で接続している全ての無線端末３２０ａ〜３２０ｇに一周期分の全ての音声データを送信した場合には、通信制御部３１３ａの指令に応じて、他のアクセスポイント３１０ａ〜３１０ｃに対して音声データの送信が完了した旨を通知する送信完了通知データを作成し、後述する記憶部３１４のアクセスポイント情報記憶部３１４ａに記憶されているＩＰアドレス及びＭＡＣアドレスに基づいて、他のアクセスポイント３１０ａ〜３１０ｃにこの送信完了通知データ送信する。
【０１５６】
また、通知情報処理部３１３ｃは、自アクセスポイント３１０ａ〜３１０ｃに音声通信で接続している全ての無線端末３２０ａ〜３２０ｇからの一周期分の全ての音声データの無線信号を受信した場合には、通信制御部３１３ａの指令に応じて、他のアクセスポイント３１０ａ〜３１０ｃに対して音声データの無線信号の受信が完了した旨を通知する受信完了通知データを作成し、後述する記憶部１１４のアクセスポイント情報記憶部３１４ｃに記憶されているＩＰアドレス及びＭＡＣアドレスに基づいて、他のアクセスポイント３１０ａ〜３１０ｃに送信する。
【０１５７】
さらに、通知情報処理部３１３ｃは、他のアクセスポイント３１０ａ〜３１０ｃから受信した送信完了通知データ及び受信完了通知データの送信元アドレスから送信元ＭＡＣアドレス又は送信元ＩＰアドレスを抽出し、後述する記憶部３１４のアクセスポイント情報記憶部３１４ａに記憶されているアクセスポイント情報を参照することで、全てのアクセスポイント３１０ａ〜３１０ｃから送信完了通知データ又は受信完了通知データを受信したか否かを判定し、全てのアクセスポイント３１０ａ〜３１０ｃからこれらの送信完了通知データ又は受信完了通知データを受信した場合には、送信が完了した旨又は受信が完了した旨を通信制御部３１３ａに通知する。なお、このような通知を受けた通信制御部３１３ａは、前述のように、通知の内容に応じて、無線端末３２０ａ〜３２０ｇからの音声信号の受信を開始し、また、音声信号以外のデータ信号の通信を開始する。
【０１５８】
記憶部３１４は、アクセスポイント情報記憶部３１４ａを備えている。
【０１５９】
アクセスポイント情報記憶部３１４ａは、有線ＬＡＮ１３０に接続されている他のアクセスポイント３１０ａ〜３１０ｃのＩＰアドレス及びＭＡＣアドレスをアクセスポイント情報として記憶している。
【０１６０】
なお、このアクセスポイント情報は、例えば、ビーコン信号等から取得することも可能であるが、本実施形態では、有線ＩＦ部１１５のＡＲＰキャッシュを参照することにより取得する。
【０１６１】
図１３は、無線端末３２０ａ〜３２０ｇの概略図である。
【０１６２】
図１３に示されているように、無線端末３２０ａ〜３２０ｇは、無線受信部１２１と、無線送信部１２２と、制御部３２３と、アプリケーション処理部１２４と、アンテナ１２５と、を有している。
【０１６３】
ここで、本実施形態においては、第一の実施形態における無線端末１２０ａ〜１２０ｇと比較して、制御部３２３のみが異なるため、以下この異なる点に関連する事項についてのみ説明する。
【０１６４】
本実施形態における制御部３２３は、通信制御部３２３ａと、エラー情報作成部３２３ｂと、を備えている。
【０１６５】
通信制御部３２３ａは、無線受信部１２１及び無線送信部１２２を制御するとともに、アクセスポイント３１０ａ〜３１０ｃから送信されてきた音声データを含むＭＡＣフレームにつき、フレーム部１２１ｃで伝送誤りを検出したか否かのエラー情報を後述するエラー情報作成部３２３ｂで作成させ、接続しているアクセスポイント３１０ａ〜３１０ｃに送信させる制御を行う。
【０１６６】
エラー情報作成部３２３ｂは、通信制御部３２３ａの指令に応じて、フレーム部１２１ｃで伝送誤りを検出した場合には伝送誤りが発生した旨、または、伝送誤りが検出されなかった場合には伝送誤りが発生しなかった旨、を通知するために予め定められた情報を有し、接続しているアクセスポイント３１０ａ〜３１０ｃをあて先とするエラー情報を作成する。
【０１６７】
なお、伝送誤りについては、ＭＡＣフレームのＦＣＳ（Frame Check Sequence）を用いて検出する。
【０１６８】
以上のように構成される本実施形態のアクセスポイント３１０ａ〜３１０ｃにおいて、無線端末３２０ａ〜３２０ｇとの間で無線信号を送受信するタイミングを制御する手順を図１４に示すフローチャートを用いて説明する。
【０１６９】
まず、アクセスポイント３１０ａ〜３１０ｃと無線端末３２０ａ〜３２０ｇとの間で、音声通信以外のデータ通信を行っているものとする（Ｓ３７０）。
【０１７０】
通知装置１４０から送信された同期信号を有線ＩＦ部１１５で受信すると（Ｓ３７１）、アクセスポイント３１０ａ〜３１０ｃは、無線端末３２０ａ〜３２０ｇに対して音声データの無線信号を送信する順番を識別するための連続番号であるｉを初期化（ｉ＝１）する（Ｓ３７２）。
【０１７１】
次に、アクセスポイント３１０ａ〜３１０ｃは、音声通信以外のデータ通信を終了し、送信バッファ１２２ａに記憶されている音声データを、順番ｉの無線端末３２０ａ〜３２０ｇに送信する（Ｓ３７３）。
【０１７２】
また、アクセスポイント３１０ａ〜３１０ｃは、順番ｉの無線端末３２０ａ〜３２０ｇからエラー情報を受信すると（Ｓ３７４）、そのエラー情報に基づいて順番ｉの無線端末３２０ａ〜３２０ｇで伝送誤りが検出されたか否かを判断し、伝送誤りが検出された場合には、切替制御部３１３ｂで、この順番ｉの無線端末３２０ａ〜３２０ｇに対応するカウンタＣｉの値に「１」を加算し（Ｓ３７５）、次のステップＳ３７８に進む。
【０１７３】
一方、順番ｉの無線端末３２０ａ〜３２０ｇのエラー情報に基づいて伝送誤りが検出されなかった場合には、切替制御部３１３ｂで、この無線端末３２０ａ〜３２０ｇに対応するカウンタＣｉの値をリセット（Ｃｉ＝０）して（Ｓ３７７）、次のステップＳ３７８に進む。
【０１７４】
次に、順番ｉに「１」を加算して（Ｓ３７８）、このアクセスポイント３１０ａ〜３１０ｃに音声通信で接続している無線端末３２０ａ〜３２０ｇの数ｊと比較して、ｉ＝ｊではない場合には（Ｓ３７９）、Ｓ３７３〜Ｓ３７８の処理を繰り返す。
【０１７５】
また、ｉ＝ｊの場合には（Ｓ３７９）、有線ＬＡＮ１３０に接続されている全てのアクセスポイント３１０ａ〜３１０ｃに一周期分の音声データの送信が完了した旨を通知する送信完了通知データを送信する（Ｓ３８０）。
【０１７６】
そして、切替制御部３１３ｂにおいて、再び順番ｉを初期化（ｉ＝１）し（Ｓ３８１）、乱数から任意の乱数Ｎを生成する（Ｓ３８２）。
【０１７７】
次に、順番ｉの無線端末３２０ａ〜３２０ｇのカウンタＣｉを乱数Ｎと比較して、Ｃｉ≧Ｎの場合には（Ｓ３８３）、順番ｉの無線端末３２０ａ〜３２０ｇと順番ｉ＋１の無線端末３２０ａ〜３２０ｇ（ｉ＝ｊの場合には、ｉ＝１の無線端末３２０ａ〜３２０ｇ）とを入れ替え（Ｓ３８４）、順番ｉの無線端末３２０ａ〜３２０ｇのカウンタＣｉをリセット（Ｃｉ＝０）し（Ｓ３８５）、また、順番ｉ＋１の無線端末３２０ａ〜３２０ｇ（ｉ＝ｊの場合には、ｉ＝１の無線端末３２０ａ〜３２０ｇ）のカウンタＣｉ＋１をリセット（Ｃｉ＋１＝０）する（Ｓ３８６）。
【０１７８】
Ｃｉ≧Ｎではない場合（Ｓ３８３）及びステップＳ３８６を経た場合には、順番ｉに「１」を加算し（Ｓ３８７）、このアクセスポイント３１０ａ〜３１０ｃに音声通信で接続している無線端末３２０ａ〜３２０ｇの数ｊと比較して、ｉ＝ｊではない場合には（Ｓ３８８）、Ｓ３８３〜Ｓ３８７の処理を繰り返す。
【０１７９】
一方、ｉ＝ｊの場合には（Ｓ３８８）、有線ＬＡＮ１３０に接続されている全てのアクセスポイント３１０ａ〜３１０ｃに対して、一周期分の音声データの無線信号の受信を完了した旨の受信完了通知データを送信する（Ｓ３８９）。なお、受信完了通知データは、通信制御部３１３ａから指令を受けた通知情報処理部３１３ｃが作成し、有線ＩＦ部１１５を介して送信する。
【０１８０】
そして、有線ＬＡＮ１３０に接続されている全てのアクセスポイント３１０ａ〜３１０ｃから送信された受信完了通知データを受信した場合には（Ｓ３９０）、ステップＳ３７０に戻り、無線端末３２０ａ〜３２０ｇとの間で、音声通信以外のデータ通信を再開する。具体的には、受信バッファ３１４ｂに無線端末３２０ａ〜３２０ｇへの送信データが記憶されている場合には、送信先である無線端末３２０ａ〜３２０ｇにＲＴＳを送信し、一方、無線端末３２０ａ〜３２０ｇからＲＴＳを受信した場合には、この無線端末３２０ａ〜３２０ｇに対してＣＴＳを返信することにより、これらの無線端末３２０ａ〜３２０ｇとの間でデータ通信を行う。
【０１８１】
次に、本実施形態におけるアクセスポイント３１０ａ〜３１０ｃと無線端末３２０ａ〜３２０ｇとの間で無線信号を送受信するタイミングチャートを図１５に示す。
【０１８２】
ここで、図１５では、アクセスポイント３１０ａには、無線端末３２０ａ及び３２０ｂが音声通信において接続しており、このアクセスポイント３１０ａに隣接するアクセスポイント３１０ｂには、無線端末３２０ｃ及び３２０ｄが音声通信において接続しているものとする。
【０１８３】
そして、アクセスポイント３１０ａは、音声データの無線信号を無線端末３２０ａ、無線端末３２０ｂの順番で送信し、アクセスポイント３１０ｂは、音声データの無線信号を無線端末３２０ｃ、無線端末３２０ｄの順番で受信するものとする。
【０１８４】
まず、アクセスポイント３１０ａが無線端末３２０ａに音声データの無線信号「音１１」を送信した後、無線端末３２０ｂに音声データの無線信号「音１２」を送信したとする。
【０１８５】
そして、アクセスポイント３１０ａが無線端末３２０ｂに音声データの無線信号「音１２」を送信するのと同じタイミングで、無線端末３２０ｃは、音声データの無線信号「音２１」をアクセスポイント３１０ｂに送信しているため、無線端末３２０ｂで受信する音声データに伝送誤りが発生しているとする。
【０１８６】
また、アクセスポイント３１０ａが無線端末３２０ａに音声データの無線信号「音１３」を送信した後、無線端末３２０ｂに音声データの無線信号「音１３」を送信する。
【０１８７】
これに対して、無線端末３２０ｄがアクセスポイント３１０ｂに音声データの無線信号「音２２」を送信した後、再び、無線端末３２０ｃがアクセスポイント３１０ｂに音声データの無線信号「音２３」を送信する。
【０１８８】
そして、無線端末３２０ｂでは、アクセスポイント３１０ａから音声データの無線信号「音１２」を受信するタイミングと無線端末３２０ｃが音声データの無線信号「音２１」をアクセスポイント３１０ｂに送信するタイミングが一致しているため、再び、音声データに伝送誤りが発生する。
【０１８９】
これに対して、アクセスポイント３１０ａは、無線端末３２０ａと無線端末３２０ｂとの間で、音声データの無線信号の送信順序を変えることで、以後の伝送誤りを防止することができる。
【０１９０】
以上のように、本実施形態によれば、無線端末３２０ａ〜３２０ｇで受信する音声データの無線信号に伝送誤りが所定の回数発生した場合には、無線端末３２０ａ〜３２０ｇに音声データの無線信号を送信する順番を換えることで、相互に干渉しているアクセスポイント３１０ａ〜３１０ｃから無線端末３２０ａ〜３２０ｇへの音声データの無線信号の送出時期と、無線端末３２０ａ〜３２０ｇからアクセスポイント３１０ａ〜３１０ｃへの音声データの無線信号の送出時期と、を変更することができるため、無線端末３２０ａ〜３２０ｇ同士が距離的に近い位置にある場合にも、受信信号と送信信号とが干渉してしまうことを解消することができる。
【０１９１】
以下、本発明の第四の実施形態について説明する。
【０１９２】
第三の実施形態においては、音声データを通信した後に音声以外のデータを通信する通信期間を設けているが、本実施形態では、音声通信用の周波数帯と音声通信以外のデータ通信用の周波数帯を分けることにより、このようなデータ通信の通信期間を設けていない。
【０１９３】
なお、本実施形態における通信システムも、アクセスポイント４１０ａ〜４１０ｃと、アクセスポイント４１０ａ〜４１０ｃに電波を介して接続する無線端末３２０ａ〜３２０ｇと、アクセスポイント４１０ａ〜４１０ｃを連結する有線ＬＡＮ１３０と、通知装置１４０と、ルータ１５０と、ＩＰ網１６０と、を備えており、第三の実施形態と比較して、アクセスポイント４１０ａ〜４１０ｃが異なっているため、以下、この相違点に関する事項についてのみ説明する。
【０１９４】
図１６は、本発明の第四の実施形態で使用されるアクセスポイント４１０ａ〜４１０ｃの概略図である。
【０１９５】
図１６に示されているように、アクセスポイント４１０ａ〜４１０ｃは、無線部２１７Ａ、２１７Ｂと、制御部４１３と、有線ＩＦ部１１５と、アンテナ２１６Ａ、２１６Ｂと、により構成されている。
【０１９６】
本実施形態においては、第二の実施形態と同様に、音声通信用の周波数帯（例えば、２．４ＧＨｚ帯）と音声通信以外のデータ通信用の周波数帯（例えば、５ＧＨｚ帯）を二つ用いるため、それぞれ、音声通信用のアンテナ２１６Ａ及び無線部２１７Ａと、データ通信用のアンテナ２１６Ｂ及び無線部２１６Ｂと、を設けている。
【０１９７】
なお、これらの無線部２１７Ａ、２１７Ｂは、それぞれ、ＡＦＥ部２１１ａ、ＡＤ変換部２１１ｂ、フレーム部２１１ｃ及び受信バッファ２１１ｄを有する無線受信部２１１と、送信バッファ２１２ａ、フレーム部２１２ｂ、ＤＡ変換部２１２ｃ及びＡＦＥ部２１２ｄを有する無線送信部２１２と、により構成されており、これらの動作内容は第一の実施形態と同様であるため、その説明は省略する。
【０１９８】
さらに、有線ＩＦ部１１５についても、第一の実施形態と同様であるので、説明を省略する。
【０１９９】
本実施形態における制御部４１３は、通信制御部４１３ａと、切替制御部４１３ｂと、を備えている。
【０２００】
通信制御部４１３ａは、無線部２１７Ａ、２１７Ｂ及び有線ＩＦ部１１５を制御する。
【０２０１】
切替制御部４１３ｂは、自アクセスポイント４１０ａ〜４１０ｃに接続されている各無線端末３２０ａ〜３２０ｇから送信されてきたエラー情報に基づいて、自アクセスポイント４１０ａ〜４１０ｃに接続されている各無線端末３２０ａ〜３２０ｇで生じた伝送誤りの回数を無線端末３２０ａ〜３２０ｇ毎にカウントする。そして、無線端末３２０ａ〜３２０ｇへの一周期分の音声データの送信が完了した場合には、乱数Ｎを抽出し、無線端末３２０ａ〜３２０ｇ毎にカウントした伝送誤りの回数がこの乱数Ｎよりも多いか否かを判断し、伝送誤りの回数が乱数Ｎよりも多い無線端末３２０ａ〜３２０ｇがある場合には、自アクセスポイント４１０ａ〜４１０ｃに接続されている無線端末３２０ａ〜３２０ｇの送信順番を変更する。
【０２０２】
なお、順番の変更については、任意に設定することができるが、本実施形態では、変更対象となった無線端末３２０ａ〜３２０ｇをその次に音声データを送信するようになっている無線端末３２０ａ〜３２０ｇと順番を入れ替えるようにしている（最後に音声信号を送信していた無線端末３２０ａ〜３２０ｇに対しては、最初に音声信号を送信するようにし、他の無線端末３２０ａ〜３２０ｇに対しては、一つずつ送信する順番を後にずらすようにしている）。
【０２０３】
さらに、本実施形態では、無線端末３２０ａ〜３２０ｇから伝送誤りがなかった旨のエラー情報を受信した場合、および、無線端末３２０ａ〜３２０ｇに対する音声データの無線信号の送信順序を変更した場合には、その無線端末３２０ａ〜３２０ｇに対してカウントした伝送誤りの回数をリセットするようにしている。
【０２０４】
以上のように構成される本実施形態のアクセスポイント４１０ａ〜４１０ｃにおいて、無線端末３２０ａ〜３２０ｇとの間で無線信号を送受信するタイミングを制御する手順を図１７に示すフローチャートを用いて説明する。
【０２０５】
まず、無線端末３２０ａ〜３２０ｇからの音声信号を受信しているものとする（Ｓ４７０）。
【０２０６】
通知装置１４０から送信された同期信号を有線ＩＦ部１１５で受信すると（Ｓ４７１）、アクセスポイント４１０ａ〜４１０ｃは、無線端末３２０ａ〜３２０ｇに音声データを送信する順番を識別するための連続番号であるｉを初期化（ｉ＝１）する（Ｓ４７２）。
【０２０７】
次に、アクセスポイント４１０ａ〜４１０ｃは、送信バッファ２１２ａに記憶されている音声データを、順番ｉの無線端末３２０ａ〜３２０ｇに送信する（Ｓ４７３）。
【０２０８】
また、アクセスポイント４１０ａ〜４１０ｃは、順番ｉの無線端末３２０ａ〜３２０ｇからエラー情報を受信すると（Ｓ４７４）、そのエラー情報に基づいて順番ｉの無線端末３２０ａ〜３２０ｇで伝送誤りが検出されたか否かを判断し、伝送誤りが検出された場合には（Ｓ４７５）、切替制御部４１３ｂで、この順番ｉの無線端末３２０ａ〜３２０ｇに対応するカウンタＣｉの値に「１」を加算し（Ｓ４７５）、次のステップＳ４７８に進む。
【０２０９】
一方、順番ｉの無線端末３２０ａ〜３２０ｇのエラー情報に基づいて伝送誤りが検出されなかった場合には、切替制御部４１３ｂで、この無線端末３２０ａ〜３２０ｇに対応するカウンタＣｉの値をリセット（Ｃｉ＝０）して（Ｓ４７７）、次のステップＳ４７８に進む。
【０２１０】
次に、順番ｉに「１」を加算して（Ｓ４７８）、このアクセスポイント４１０ａ〜４１０ｃに音声通信で接続している無線端末３２０ａ〜３２０ｇの数ｊと比較して、ｉ＝ｊではない場合には（Ｓ４７９）、Ｓ４７３〜Ｓ４７８の処理を繰り返す。
【０２１１】
また、ｉ＝ｊの場合には（Ｓ４７９）、切替制御部４１３ｂにおいて、再び順番ｉを初期化（ｉ＝１）し（Ｓ４８０）、乱数から任意の乱数Ｎを生成する（Ｓ４８１）。
【０２１２】
次に、順番ｉの無線端末３２０ａ〜３２０ｇのカウンタＣｉを乱数Ｎと比較して、Ｃｉ≧Ｎの場合には（Ｓ４８２）、順番ｉの無線端末３２０ａ〜３２０ｇと順番ｉ＋１の無線端末３２０ａ〜３２０ｇ（ｉ＝ｊの場合には、ｉ＝１の無線端末３２０ａ〜３２０ｇ）とを入れ替え（Ｓ４８３）、順番ｉの無線端末３２０ａ〜３２０ｇのカウンタＣｉをリセット（Ｃｉ＝０）し（Ｓ４８４）、また、順番ｉ＋１の無線端末３２０ａ〜３２０ｇ（ｉ＝ｊの場合には、ｉ＝１の無線端末３２０ａ〜３２０ｇ）のカウンタＣｉ＋１をリセット（Ｃｉ＋１＝０）する（Ｓ４８５）。
【０２１３】
Ｃｉ≧Ｎではない場合（Ｓ４８２）には、順番ｉに「１」を加算し（Ｓ４８６）、このアクセスポイント４１０ａ〜４１０ｃに音声通信で接続している無線端末３２０ａ〜３２０ｇの数ｊと比較して、ｉ＝ｊではない場合には（Ｓ４８７）、Ｓ４８２〜Ｓ４８６の処理を繰り返す。
【０２１４】
一方、ｉ＝ｊの場合（Ｓ４８７）、および、順番ｉ＋１の無線端末３２０ａ〜３２０ｇ（ｉ＝ｊの場合には、ｉ＝１の無線端末３２０ａ〜３２０ｇ）のカウンタＣｉ＋１をリセットした場合（Ｓ４８５）には、ステップＳ４７０に戻り、無線端末３２０ａ〜３２０ｇからの音声データの無線信号の受信を再開する。
【０２１５】
以上に記載した実施形態においては、通知装置１４０により送信された同期信号に基づいて、無線端末への無線信号の送信開始タイミングを揃えるようにしているが、このような態様に限定されるわけではなく、例えば、通知装置１４０が備えるタイマ１４１及びタイミング制御部１４２を所定のアクセスポイントが備えるようにすることで、このアクセスポイントから送信された同期信号に基づいて送信開始タイミングを揃えるようにすることができる。
【図面の簡単な説明】
【０２１６】
【図１】第一の実施形態である通信システム１００の概略図。
【図２】アクセスポイント１１０ａ〜１１０ｃの概略図。
【図３】無線端末１２０ａ〜１２０ｇの概略図。
【図４】通知装置１４０の概略図。
【図５】無線信号を送受信するタイミングを制御する手順を示すフローチャート。
【図６】無線信号を送受信するタイミングを示すタイミングチャート。
【図７】アクセスポイント１１０ａ〜１１０ｇの配置例を示す概略図。
【図８】アクセスポイント１１０ａ〜１１０ｇの配置例を示す概略図。
【図９】アクセスポイント２１０ａ〜２１０ｃの概略図。
【図１０】無線信号を送受信するタイミングを制御する手順を示すフローチャート。
【図１１】無線信号を送受信するタイミングを示すタイミングチャート。
【図１２】アクセスポイント３１０ａ〜３１０ｃの概略図。
【図１３】無線端末３２０ａ〜３２０ｇの概略図。
【図１４】送受信するタイミングを制御する手順を示すフローチャート。
【図１５】無線信号を送受信するタイミングを示すタイミングチャート。
【図１６】アクセスポイント４１０ａ〜４１０ｃの概略図。
【図１７】無線信号を送受信するタイミングを制御する手順を示すフローチャート。
【符号の説明】
【０２１７】
１００  通信システム
１１０、２１０、３１０、４１０  アクセスポイント
１２０、３２０  無線端末
１３０  有線ＬＡＮ
１４０  通知装置
【図１】
0004836529.tif 000004
【図２】
0004836529.tif 000005
【図３】
0004836529.tif 000006
【図４】
0004836529.tif 000007
【図５】
0004836529.tif 000008
【図６】
0004836529.tif 000009
【図７】
0004836529.tif 000010
【図８】
0004836529.tif 000011
【図９】
0004836529.tif 000012
【図１０】
0004836529.tif 000013
【図１１】
0004836529.tif 000014
【図１２】
0004836529.tif 000015
【図１３】
0004836529.tif 000016
【図１４】
0004836529.tif 000017
【図１５】
0004836529.tif 000018
【図１６】
0004836529.tif 000019
【図１７】
0004836529.tif 000020